(57)【要約】【課題】配管の登り勾配を小さくしつつ、壁に形成した貫通孔よりも下側に一定の壁部分を確保できる、建築物構造を提供する。【解決手段】本発明の建築物構造は、第１スラブ1の上面1fと、第１スラブの上面1fよりも低い第２スラブ2の上面2fと、第２スラブの上面2f上に形成された壁４と、壁４に形成された貫通孔4aを通して当該壁4aを貫通するサイホン排水管20とを備え、貫通孔4aの下端の第２スラブの上面2fからの高さが、３０ｍｍ以上である。【選択図】図２
2019124117.tif 000002
【特許請求の範囲】
【請求項１】
第１スラブと、
前記第１スラブの上面よりも低い位置に上面がある第２スラブと、
前記第２スラブの上面上に形成された壁と、
前記壁に形成された貫通孔を通して当該壁を貫通するサイホン排水管と
を備え、
前記貫通孔の下端の前記第２スラブの上面からの高さが、３０ｍｍ以上であって、
前記サイホン排水管の上流側に連設される水廻り器具の排水トラップが、前記第１スラブの上面を上方から視た平面視で、前記第１スラブの上面の上方に設置されたことを特徴とする、建築物構造。
【請求項２】
請求項１において、前記貫通孔の中心軸の前記第１スラブの上面からの高さが、０ｍｍ以上である、建築物構造。
【請求項３】
請求項１または２において、前記貫通孔の下端の前記第１スラブの上面からの高さが、５０ｍｍ以下である、建築物構造。
【請求項４】
請求項１乃至３のいずれか１項において、前記壁は、前記壁と向かい合う前記第１スラブの端から間隔を置いて前記第２スラブの上面上に設置されたものである、建築物構造。
【発明の詳細な説明】
【技術分野】
【０００１】
本発明は、主に鉄筋コンクリート造等の集合住宅における建築物構造に関するものである。
【背景技術】
【０００２】
主に鉄筋コンクリート造の集合住宅における従来の工法の一例として、図５に示すように、排水立て管１０を壁４により仕切られた居室（居住、執務、作業、集会、娯楽その他これらに類する目的のために継続的に使用する室をいう。以下同じ。）外に配置する工法が知られている。この工法では、水廻り器具３０ａ〜３０ｃからの排水をそれぞれ、排水立て管１０に排出させるため、配管の一部としての管体４０ａ〜４０ｃに勾配を設けるとともに当該管体４０ａ〜４０ｃをそれぞれ壁４に貫通させている。
【０００３】
また、水廻り器具の排水システムとしては、サイホン力を利用して排水を行うサイホン排水システムが知られている（例えば、特許文献１参照）。
【先行技術文献】
【特許文献】
【０００４】
【特許文献１】特開２００７−３１５０３６号公報
【発明の概要】
【発明が解決しようとする課題】
【０００５】
サイホン排水システムは、スラブの上面に対して、ほぼ勾配なく小口径で排水が可能なサイホン排水管を配置することができる。このため、階高を下げたり、居室内の高さ方向の空間を広げる場合に有効である。
【０００６】
しかしながら、図５に示す、従来の建築物構造に採用した場合、管体４０ａと同様、サイホン排水管の一部を、壁４に形成した貫通孔（横孔）４ａ´に貫通させる必要があり、この場合、以下のような問題がある。
【０００７】
例えば、図６に示すように、居室部分と居室外部分とを壁４で仕切る場合、壁４を挟んで居室部分と反対側の居室外部分の側が屋外となるため、スラブ５０の上面に防水対策（ウレタンによる防水等）を施し、壁４の側面に沿って防水対策部分６０の端部６０ａを立ち上げる必要がある。この場合、壁４に形成される貫通孔４ａ´は、防水対策部分６０と干渉しないよう、防水対策部分６０の端部６０ａよりも高い位置に形成する必要がある。
【０００８】
また、壁４が所謂従来のＲＣ壁の場合、壁４の貫通孔４ａ´周りに開口補強筋を入れて当該壁４を補強する必要がある場合がある。この場合、壁４の貫通孔４ａ´よりも下側の壁部分に開口補強筋を入れるスペースを確保するため、貫通孔４ａ´をスラブ５０の上面５０ｆから高い位置に形成する必要がある。また、壁４がＡＬＣ等のＰＣ壁である場合、当該壁４をスラブ５０に対して固定する必要があるので、壁４の貫通孔４ａ´よりも下側の壁部分に固定具を取り付けるためのスペースを確保する必要がある。この場合も、貫通孔４ａ´を固定具よりも高い位置に形成する必要がある。
【０００９】
ところが、上記のように、貫通孔をスラブ５０の上面５０ｆから高い位置に形成した場合、配管の一部が登り勾配となり、サイホン排水能力が悪化するという問題があった。
【００１０】
本発明の課題は、配管の登り勾配を小さく抑えつつ、壁に形成した貫通孔よりも下側に一定の壁部分を確保することが可能な、新規の建築物構造を提供することにある。
【課題を解決するための手段】
【００１１】
本発明に係る建築物構造は、第１スラブと、前記第１スラブの上面よりも低い位置に上面がある第２スラブと、前記第２スラブの上面上に形成された壁と、前記壁に形成された貫通孔を通して当該壁を貫通するサイホン排水管とを備え、
前記貫通孔の下端の前記第２スラブの上面からの高さが、３０ｍｍ以上であることを特徴とする。
本発明に係る建築物構造によれば、壁に形成した貫通孔よりも下側に一定の壁部分を確保しつつ、配管の登り勾配を小さく抑えることが可能となる。
【００１２】
本発明に係る建築物構造は、前記貫通孔の中心軸の前記第１スラブの上面からの高さが、０ｍｍ以上であることが好ましい。
この場合、壁に形成した貫通孔よりも下側に、壁部分をより十分に確保することができる。
【００１３】
本発明に係る建築物構造は、前記貫通孔の下端の前記第１スラブの上面からの高さが、５０ｍｍ以下であることが好ましい。
この場合、配管の登り勾配を小さく抑えることができる。
【００１４】
本発明に係る建築物構造では、前記サイホン排水管の上流側に連設される水廻り器具の排水トラップが、前記第１スラブの上面を上方から視た平面視で、前記第１スラブの上面の上方に設置されることが好ましい。
この場合、居室内の第２スラブの領域を極小化させて第１スラブの領域を拡大することにより、当該居室内で天井高が落ち込む第２スラブの領域の拡大を抑制できる。なお、本発明において、「サイホン排水管の上流側に連設される水廻り器具の排水トラップ」という意味には、排水トラップがサイホン排水管の上流側で直結されている場合は勿論、排水トラップとサイホン排水管との間に貯留槽などの他の部材を介在させている場合も含まれる。
【００１５】
本発明に係る建築物構造では、前記壁は、前記壁と向かい合う前記第１スラブの端から間隔を置いて前記第２スラブの上面上に設置されたものであることが好ましい。
この場合、例えばＲＣ壁の場合に開口補強筋を入れやすくなり、ＡＬＣ等のＰＣ壁の場合は前記壁の両壁面の側に壁の固定具を固定するためのスペースを確保することができる。
【発明の効果】
【００１６】
本発明によれば、配管の登り勾配を小さく抑えつつ、壁に形成した貫通孔よりも下側に一定の壁部分を確保することができる、新規の建築物構造を提供することができる。
【図面の簡単な説明】
【００１７】
【図１】本発明の一実施形態に係る建築物構造を、一部断面として模式的に示す図である。
【図２】図１の要部拡大図である。
【図３】（ａ）は、第２スラブ上に設置された壁の貫通孔付近を、第２スラブを断面とした状態で、その壁面の側から模式的に示した図であり、（ｂ）は（ａ）のＩ−Ｉ断面を、一部側面図で示した図であり、（ｃ）は、第２スラブ上に設置された壁の貫通孔と第１スラブの上面との関係を模式的に示す断面図であり、（ｄ）は、本発明の他の実施形態に係る建築物構造に採用される、第１および第２スラブと壁とを模式的に示す断面図である。
【図４】本発明のさらに他の実施形態に係る建築物構造を、一部断面として示す模式図である。
【図５】従来のＳＩ型マンションに係る建築物構造を、一部断面として示す模式図である。
【図６】壁が起立するスラブの上面に施された防水対策を例示的に示す模式断面図である。
【発明を実施するための形態】
【００１８】
以下、図面を参照して、本発明の様々な実施形態に係る建築物構造を詳細に説明する。なお、以下の説明において、上下方向（鉛直方向）とは重力方向を意味し、図面上下方向を示す。すなわち、図面上側から下側に向かう方向が物体に働く重力の方向となる。また、水平方向とは、上下方向に対して直交する方向を意味する。
【００１９】
図１に示す実施形態に係る建築物構造は、主として複数階で構成された集合住宅等の建築物などの配管システムに採用される。以下、サイホン力を使用して、集合住宅の各階の排水を下方に流すサイホン排水配管システムを例に、本実施形態を説明する。
【００２０】
図１に示すように、本実施形態に係る建築物構造では、スラブは２つの部分で構成されている。符号１は、第１スラブであり、符号２は、第２スラブである。第２スラブ２は、第１スラブ１の上面１ｆよりも低い位置、すなわち、下方にある、第１の上面２ｆ1 と、第１スラブ１の上面１ｆと同一の高さにある、第２の上面２ｆ2 と、を有している。本実施形態では、第１スラブ１の上面１ｆおよび第２スラブ２の第１の上面２ｆ1 ならびに第２の上面２ｆ2 は、それぞれ、水平方向に伸びる平坦な水平面で構成されている。すなわち、第１スラブ１の上面１ｆと第２スラブ２の第１の上面２ｆ1 および第２の上面２ｆ2とは平行に配置されている。さらに本実施形態では、第１スラブ１の一方の端３（以下、「第１スラブ１の端３」ともいう）が第２スラブ２との間に段差を形成している。本実施形態では、第１スラブ１の端３は、鉛直方向に延在している。なお、本実施形態では、第１スラブ１および第２スラブ２は一体に形成されている。
【００２１】
符号４は、第２スラブ２上に設置された壁である。本実施形態では、壁４は、第２スラブ１の第１の上面２ｆ1 から起立するＲＣ壁である。壁４は、第１スラブ１の側を住居等の居室部分として区画する一方、壁４を挟んで居室部分と反対の側の第２スラブ２の側を共用廊下等の居室外部分として区画している。本実施形態では、居室部分には床材５が配置されており、当該居室部分が二重床として構成されている。本実施形態では、床材５は、緩衝材や支持ボルト等の支持材６を介して、第１スラブ１の上面１ｆ上に配置されている。これにより、本実施形態では、床材５の下方に形成される床下ふところは、床材５と第１スラブ１との間に形成された第１床下ふところＳ1と、床材５と第２スラブ２との間に形成された第２床下ふところＳ2からなる。
【００２２】
壁４には、貫通孔４ａが形成されている。本実施形態では、壁４に形成された貫通孔４ａは、第２スラブ２の上面２ｆ1 の上方に、無勾配で、ほぼ水平（好適には、水平）に形成されている。また、本実施形態では、壁４は、当該壁４と向かい合う第１スラブ１の端３から間隔Ｄを置いて、すなわち、壁４の第１スラブ１の側の壁面と当該壁４と対向する位置に配置された第１スラブ１の端３との間に間隔Ｄが置かれて、第２スラブ２の上面２ｆ1 上に設置されており、鉛直方向に延在している。これにより、図１および図２に示すように、第１スラブ１の端３と壁４との間には、隙間Ｃが形成される。なお、壁４に形成された貫通孔４ａは、本実施形態のように、水平に形成されたものに限定されるものではなく、水平でなくともよい。また、本実施形態では、壁４は、ＲＣ壁として説明したが、予め工場生産された壁を現場に搬入してスラブ等に連結する、いわゆるＰＣ壁であってもよい。
【００２３】
第１スラブ１および第２スラブ２は、集合住宅の各階を上下に区画する床スラブを構成している。本実施形態では、第２スラブ２には、第２スラブ２を上下に貫通する貫通孔２ａ、２ｂが形成されている。
【００２４】
符号１０は、排水を下方に流す排水立て管である。排水立て管１０は、第２スラブ２に形成された貫通孔２ａを通って、集合住宅の各階の第２スラブ２を貫通している。なお、本実施形態では、排水立て管１０を配置した貫通孔２ａの内側はモルタルＭ等で封止されている。また、本実施形態では、壁４と、第２スラブ２の第１の上面２ｆ1 と第２の上面２ｆ2 との間に形成された段差との間には窪みが形成されており、この窪みはモルタルＭ等で埋め戻されている。より具体的には、モルタルＭ等で埋め戻された部分の上面は、メータボックスＭＢ等が配置される空間の床面を構成し、第２スラブ２の第１の上面２ｆ2 は共用廊下の床面を構成している。モルタルＭ等で埋め戻された部分の上面は、第２スラブ２の第２の上面２ｆ2 と同一の面とし、または、第２スラブ２の第２の上面２ｆ2 よりも高くすることができる。この場合、モルタルＭ等で埋め戻された部分の上面に水溜りが生じることを抑制できる。さらに、モルタルＭ等で埋め戻された部分において、モルタルＭと第２スラブを貫通する貫通孔（図示せず）を設けることで、水溜りの発生を更に抑制することが出来る。
なお、窪みはモルタルＭ等によって埋め戻されなくてもよく、その場合は第２スラブを貫通する貫通孔（図示せず）を設けることで雨水等が窪みに溜まる水溜りの発生を抑制することが出来る。
【００２５】
図１中、符号２０は、その一部が壁４に形成された貫通孔４ａを通して当該壁４ａを貫通するサイホン排水管である。本実施形態では、サイホン排水管２０は、横引き管２１および竪管２２で形成されている。また、符号３０は、洗面台や浴室（ユニットバス）等の水廻り器具である。本実施形態では、図１に示すように、水廻り器具３０は、例示的に、浴室（ユニットバス）３０ａである。水廻り器具３０は、その直下に悪臭や害虫などの進入を防止するための排水トラップ３１を有している。本実施形態では、排水トラップ３１は、床材５よりも下方の、水廻り器具３０の下端に配置されている。また、本実施形態では、排水トラップ３１は、第１スラブ１の上面１ｆを上方から視た平面視で、第１スラブ１の上面１ｆの上方に配置されている。好適には、壁４と当該壁４と向かい合う第１スラブ１の端３との間、すなわち、壁４の第１スラブ１の側の壁面と当該壁４と対向する位置に配置された第１スラブ１の端３との間の間隔Ｄを、壁４と水廻り器具３０との間、すなわち、壁４の第１スラブ１の側の壁面と当該壁４と向かい合う水廻り器具３０の壁４の側の端との間の間隔よりも短くなるように配置する。本実施形態では、水廻り器具３０も含め、浴室全体が第１スラブ１の上方に配置されている。
【００２６】
排水トラップ３１は、水で通路を遮断する水封式、逆止弁等を用いた自封式その他様々なものを採用することができる。また、排水トラップ３１は、接続管３２を介して貯留槽３３に連通する。図１に示すように、サイホン排水管２０の一方の端部（横引き管２１の端部）２０ａは、貯留槽３３に連設されている。すなわち、本実施形態では、排水トラップ３１を有する水廻り器具３０は、貯留槽３３および接続管３２を介して、サイホン排水管２０の上流側に間接的に連設されている。そして、サイホン排水管２０の他方の端部（竪管２２の端部）は、排水立て管１０に連設されている（ここでは、図示省略）。
【００２７】
上述のとおり、本実施形態では、サイホン排水管２０は、貯留槽３３に繋がる横引き管２１を有する。横引き管２１は、壁４に形成された貫通孔４ａを通して、第１床下ふところＳ1内および第２床下ふところＳ2内（床下空間）の第１スラブ１の上面１ｆを、当該第１スラブ１の上面１ｆに沿って配置されている。横引き管２１は、図２に示すように、第１スラブ１の上面１ｆ上を無勾配で水平に配設されている。さらに、本実施形態では、横引き管２１に繋がる竪管２２は、第２スラブ２に形成された貫通孔２ｂを通して上下方向に貫通している。本実施形態では、竪管２２は、排水立て管１０に連設されている（ここでは、図示省略）。すなわち、竪管２２は、横引き管２１よりも低い位置で排水立て管１０と合流している。サイホン排水管２０は、サイホン排水管２０内の流通が確保されるものであれば、複数の管体を組み付けて構成されたものでも、１つの管体として構成されたものでもよい。
【００２８】
貫通孔４ａは、１つの貫通孔４ａに１つの横引き管２１を配置する構成とすることができるが、後述するように、１つの貫通孔４ａに複数の横引き管２１を配置する構成とすることもできる。さらに、壁４に複数の貫通孔４ａを形成し、そのうち少なくとも１つの貫通孔４ａに１つの横引き管２１を配置し、他の少なくとも１つの貫通孔４ａに複数の横引き管２１を配置する構成とすることができる。本実施形態では一例として、図３（ａ）に示すように、貫通孔４ａは、壁４の壁面の側から見た外観形状が長方形状の開口部として形成されている。これにより、貫通孔４ａには、複数（本実施形態では、例示的に４本）のサイホン排水管２０の横引き管２１を貫通させることができる。
【００２９】
本実施形態では、貫通孔４ａの下端の第２スラブ２の第１の上面２ｆ1 からの高さｈ4（以下、「貫通孔下端高さｈ4」ともいう）が、３０ｍｍ以上（ｈ4≧３０ｍｍ）とされている。
この場合、第２スラブ２の第１の上面２ｆ1 と壁４の下端面との接続面に対して防水対策を施すときに、貫通孔４ａの直下の壁４の壁面および第２スラブ２の第１の上面２ｆ1 に、当該貫通孔４ａと干渉させることなく、例えば、ウレタン樹脂等の防水材料を塗布することができる。さらに、貫通孔下端高さｈ4を３０ｍｍ以上とすれば、壁４を第２スラブ２の第１の上面２ｆ1 に取り付けるとき、貫通孔４ａの直下の壁４の壁面および第２スラブ２の第１の上面２ｆ1 に、当該貫通孔４ａと干渉させることなく、固定具(図示省略)を配置することができる。また、貫通孔下端高さｈ4を３０ｍｍ以上とすれば、壁４がＲＣ壁であって、貫通孔４ａの周りを補強する必要がある場合、例えば、図３（ａ）、（ｂ）に示すように、壁４の貫通孔４ａ周りに、開口補強筋Ｒを入れて当該壁４の貫通孔４ａ周辺を部分的に補強することができる。
【００３０】
加えて、本実施形態では、図３（ｃ）に示すように、第１スラブ１の端３と壁４との間には隙間Ｃが形成されているため、居室部分の隙間Ｃ（第２床下ふところＳ2）の側からも、居室外部分（壁４を挟んで隙間Ｃと反対）の側からも、防水対策等の作業を行うことができる。
【００３１】
加えて、図１に示すように、本実施形態では、第１スラブ１の上面１ｆが第２スラブ２の第１の上面２ｆ1 よりも高い位置にあるため、サイホン排水管２０の横引き管２１を第１スラブ１の上面１ｆ1 に沿わせて配置するときも、居室部分では、第２スラブ２の第１の上面２ｆ1 から貫通孔４ａまでの高さ分よりも小さい、第１スラブ１の上面１ｆから貫通孔４ａまでの高さ分だけ、サイホン排水管２０の横引き管２１を立ち上げさせて貫通孔４ａに通せばよい。すなわち、本実施形態では、居室部分が第２スラブのみからなる、従来の建築物構造のように、第２スラブ２の第１の上面２ｆ1 からサイホン排水管２０の横引き管２１を壁４に沿って大きく立ち上げさせて貫通孔４ａに通す必要がない。これにより、本実施形態では、サイホン排水管２０の横引き管２１を第１スラブ１の上面１ｆに沿うように配置して、所望の高さの貫通孔４ａに通しても、排水性能を確保することができる。本発明の最も好適な実施形態は、本実施形態のように、サイホン排水管２０の横引き管２１が水平になるように設定されたものである。
【００３２】
さらに、本実施形態では、貫通孔４ａの中心軸Ｏの第１スラブ１の上面１ｆからの高さが、０ｍｍ以上とされている。すなわち、貫通孔４ａの中心軸Ｏが、第１スラブ１の上面１ｆの高さ以上の高さ位置にある。図３（ｃ）を参照して説明すると、貫通孔４ａの中心軸Ｏの第２スラブ２の第１の上面２ｆ1 からの高さｈ0（以下、「貫通孔中心高さｈ0」ともいう）が、第１スラブ１の上面１ｆの第２スラブ２の第１の上面２ｆ1 からの高さｈ1（以下、「第１スラブ高さｈ1」ともいう）以上（ｈ0≧ｈ1、すなわち、ｈ0−ｈ1≧０ｍｍ）となるように、貫通孔４ａが形成されている。この場合、壁４に形成した貫通孔４ａよりも下側に、壁部分をより十分に確保することができる。
【００３３】
さらに、第１スラブ１の上面１ｆに沿ってサイホン排水管２０の横引き管２１を配置する場合には、図３（ｃ）に示すように、壁４に形成される貫通孔４ａの下端は、第１スラブ１の上面１ｆの高さと同一となる高さ位置にある、すなわち、貫通孔下端高さｈ4が第１スラブ高さｈ1と同一である（ｈ4＝ｈ1）ことがより好ましい。これにより、図２に示すように、貫通孔４ａを通るサイホン排水管２０の横引き管２１は、第１スラブ１の上面１ｆとほぼ水平（好適には、水平）に無勾配で配設される。
【００３４】
また、本発明は、貫通孔下端高さｈ4が第１スラブ高さｈ1を超えることを許容しているが、本実施形態では、貫通孔４ａの下端の第１スラブ１の上面１ｆからの高さが、５０ｍｍ以下とされている。すなわち、貫通孔下端高さｈ4から第１スラブ高さｈ1を減じた高さが５０ｍｍ以下（ｈ4−ｈ1≦５０ｍｍ）となるように、貫通孔４ａが形成されている。
この場合、効率的なサイホン排水能力を維持することができる。なお、本発明では、貫通孔４ａの下端が第１スラブ１の上面１ｆより下方（ｈ4＜ｈ1，ｈ4−ｈ1＜０）にあってもよい。
【００３５】
このように、本実施形態に係る、新規の建築物構造によれば、サイホン排水管２０の横引き管（配管）２１の登り勾配を小さく抑えつつ、壁４に形成した貫通孔４ａよりも下側に一定の壁部分を確保することできる。
【００３６】
また、本実施形態に係る建築物構造では、図１に示すように、サイホン排水管２０の上流側に連設される水廻り器具３０の排水トラップ３１を、第１スラブ１の上面１ｆを上方から視た平面視で、第１スラブ１の上面１ｆの上方に配置している。この場合、居室内の第２スラブ２の領域（すなわち、図面右側の天井高ｈrで規定される空間領域）を壁４の側に極小化させて第１スラブ１の領域（すなわち、図面左側の天井高ｈrで規定される空間領域）を壁４の側に拡大することにより、当該居室内で天井高ｈrが落ち込む第２スラブ２の領域の拡大を抑制できる。これにより、図１に示すように、居室内では、階高Ｈそのものを高めなくとも、天井高ｈrの高い領域を広く確保することができる。
【００３７】
また、本実施形態に係る建築物構造では、壁４は、壁４と向かい合う第１スラブ１の端３から間隔Ｄを置いて第２スラブ２の第１の上面２ｆ1 上に設置されている。この場合、壁４の両壁面の側に防水対策等のためのスペースを確保することができる。なお、間隔Ｄの値は、任意に定めることができるが、壁４の両壁面の側に防水対策等のためのスペースを確保することができる範囲で、小さく抑えることが好ましい。ただし、本発明によれば、図３（ｄ）に示す他の実施形態のように、壁４は、第１スラブ１の端３から間隔Ｄを置かずに（隙間Ｃを作らずに）、第１スラブ１の端３と接触させた状態で、第２スラブ２の上面２ｆ上に設置することも可能である。なお、本実施形態では、第２スラブ２の上面２ｆは、図１に示すような、段差を有しない平坦な面として形作られている。
【００３８】
また、本発明によれば、天井高ｈrは、サイホン排水管２０の位置に特化して高めることができる。例えば、図１の実施形態に係る建築物構造は、主としてバリアフリーを想定し、床材５に段差を設けることなく、床材５の上面を水平面として構成している。これに対し、図４は、本発明のさらに他の実施形態に係る建築物構造である。本実施形態は、床材５に段差を設けることを許容するものである。さらに詳細には、床材５の段差は、貯留槽３３の近傍に形成されている。この場合、サイホン排水管２０が配置される部分の床下ふところ（第１床下ふところＳ1´）だけを、さらに小さく（低く）抑えることができる。
【００３９】
上述したところは、本発明の幾つかの実施形態を例示したにすぎず、特許請求の範囲に従えば、様々な変更が可能となる。例えば、サイホン排水管２０（横引き管２１）は、少なくとも１本とすることができる。また、上記の各実施形態では、水廻り器具３０として、例えば、図５に例示する洗濯機３０ｂを適用することができる。また、上記の各実施形態では、排水トラップ３１は、水廻り器具３０と別体に構成していたが、図５の洗面台３０ｃ（水廻り器具３０）のように、当該水廻り器具３０の下端に一体に設けることができる。また上記の各実施形態では、サイホン排水管２０を貯留槽３３に連結させているが、貯留槽３３は省略することができる。さらに、上記の各実施形態では、サイホン排水管２０は、排水立て管１０に合流させているとして説明したが、サイホン排水管２０は、排水立て管１０に合流させることなく、サイホン排水能力が保持されるようにすることもできる。さらに、上記の各実施形態では、集合住宅で説明したが、一般建築など、様々な建築物に適用できる。また、上記の各実施形態に採用された個々の構成は、他の実施形態に対して適宜組み合わせて使用することができる。
【産業上の利用可能性】
【００４０】
様々な建築物においても、本発明に係る新規の建築物構造における構成を適用してスラブ上に形成した壁に貫通孔を形成し当該貫通孔にサイホン排水管を通して前記壁に貫通させて配置することが可能である。
【符号の説明】
【００４１】
１      第１スラブ
１ｆ    第１スラブの上面
２      第２スラブ
２ｆ    第２スラブの上面
２ｆ1   第２スラブの上面
２ｆ2   第２スラブの上面
３      第１スラブの端
４      壁
４ａ    貫通孔
５      床材
６      支持材
１０    排水立て管
２０    サイホン排水管
２０ａ  一方の端部
２１    横引き管（サイホン排水管（配管））
２２    竪管（サイホン排水管）
３０    水廻り器具
３１    排水トラップ
３２    接続管
３３    貯留槽
Ｃ      隙間
Ｄ      間隔
Ｏ      貫通孔の中心軸
Ｒ      開口補強筋
Ｈ      階高
ｈ0     貫通孔の中心軸の第２スラブの上面からの高さ（貫通孔中心高さ）
ｈ1     第１スラブの上面のから第２スラブの上面からの高さ（第１スラブ高さ）
ｈ4     貫通孔の下端のから第２スラブの上面からの高さ（貫通孔下端高さ）
ｈr     天井高
Ｓ1     第１床下ふところ
Ｓ1 ´  第１床下ふところ
Ｓ2     第２床下ふところ
【図１】
2019124117.tif 000003
【図２】
2019124117.tif 000004
【図３】
2019124117.tif 000005
【図４】
2019124117.tif 000006
【図５】
2019124117.tif 000007
【図６】
2019124117.tif 000008
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
第１スラブと、
前記第１スラブの上面よりも低い位置に上面がある第２スラブと、
前記第２スラブの上面上に形成された壁と、
前記壁に形成された貫通孔を通して当該壁を貫通するサイホン排水管と、
を備え、
前記サイホン排水管の上流側に連設される水廻り器具の排水トラップが、前記第１スラブの上面の上方に設置されたことを特徴とする、建築物構造。
【請求項２】
請求項１において、前記貫通孔の中心軸の前記第１スラブの上面からの高さが、０ｍｍ以上である、建築物構造。
【請求項３】
請求項１または２において、前記貫通孔の下端の前記第１スラブの上面からの高さが、５０ｍｍ以下である、建築物構造。
【請求項４】
請求項１乃至３のいずれか１項において、前記壁は、前記壁と向かい合う前記第１スラブの端から間隔を置いて前記第２スラブの上面上に設置されたものである、建築物構造。